(57)【要約】【課題】書類等の挟持力が大幅に向上したクリップを提供する。【解決手段】背板２の上下端部に一対の挟持板３と４を連成し、上部挟持板３に窓孔９を設け、下部挟持板４に先端側の位置から背板２に向けて上り傾斜で挟持板３と４へ間に突出する弾性片７を設けたクリップ本体５と、このクリップ本体５の上部挟持板３の先端部外面に枢止された部分を支点に起伏動可能となる操作ばね板６とからなり、前記操作ばね板６は、前記上部挟持板３の窓孔９を貫通する弾性片１５と、後端部の位置に起伏操作用の操作片１４が設けられ、この操作片１４が、操作ばね板６の伏倒状態で前記背板２の外面凹入溝２ａへ弾力的に係合してこの操作ばね板６の伏倒状態を保持するようになっている。【選択図】図１
2011079139.tif 000002
【特許請求の範囲】
【請求項１】
背板の上下端部に同一方向へ向けて折れ曲がる一対の挟持板を連成し、一方挟持板に窓孔を設け、他方挟持板に先端側の位置から背板に向けて上り傾斜で対向板間に突出する弾性片を設けたクリップ本体と、
前記クリップ本体の一方挟持板の先端部外面に枢止され、クリップ本体に対して枢止部分を支点に起伏動可能となり、伏倒状態で一方対向板の外面に重なるように形成された操作ばね板とからなり、
前記操作ばね板は、先端側の位置から後方に向けて傾斜する状態で前記一方挟持板の窓孔を貫通し、先端が前記一対の挟持板間に臨む弾性片と、後端部の位置に起伏操作用の操作片が設けられ、前記操作片が、操作ばね板の伏倒状態で前記背板へ弾力的に係合してこの操作ばね板の伏倒状態を保持するようになっているクリップ。
【請求項２】
上記クリップ本体の一方挟持板の先端部外面で両側の位置に、この一方挟持板の延長を円筒状に折り曲げた筒状部を設け、上記操作ばね板の先端部で両側の位置に、上面側へ傾斜する突軸を設け、この突軸を前記筒状部間に傾斜を利用して押し込んで筒状部に嵌め込むことにより、クリップ本体に対して操作ばね板を起伏動可能に取付けた請求項１に記載のクリップ。
【請求項３】
上記クリップ本体の一方挟持板に設けた窓孔が、操作ばね板に設けた弾性片が貫通する角孔に形成され、この角孔の後縁に、引き起こした操作ばね板の弾性片が当接することで、操作ばね板の引き起こし角度を規制する突片を設けた請求項１又は２に記載のクリップ。
【請求項４】
上記クリップ本体の背板は、外面側が凹入溝となる弧状の断面形状に形成され、上記操作ばね板に設けた操作片は、操作ばね板の後端部から連なって下面側に折れ曲がり、操作ばね板の伏倒状態で前記凹入溝に対して弾力的に外嵌係合する弧状係合部と、この弧状係合部の下端から延びる舌片とで形成されている請求項１乃至３の何れかに記載のクリップ。
【発明の詳細な説明】
【技術分野】
【０００１】
この発明は、重ねた書類等を挟んで保持するために用いるクリップに関する。
【背景技術】
【０００２】
重ねた紙類や書類、カード等（以下書類等という）を挟んで保持するクリップには、針金を曲げて形成したゼムクリップ、目玉クリップ、ターンクリップ等の幾つかの形式があるが、ゼムクリップは構造が簡単ある反面、厚めの書類等を挟むと簡単に変形して挟持力がなくなるという問題があり、また、目玉クリップやターンクリップは、厚めの書類等を挟むことはできるが、目玉クリップの場合大きく嵩張るという不都合があり、更に、何れも構成部品点数が多く、製作コストが高くつくという点で問題がある。
【０００３】
このような問題を解決するため、一枚の弾性金属板を用い、一対の対向する挟持板の先端側が閉じたような側面コ字状に折り曲げ加工することにより形成したクリップが提案されている（例えば、特許文献１と２参照）。
【先行技術文献】
【特許文献】
【０００４】
【特許文献１】実用新案登録第３１５２４７２号公報
【特許文献２】実用新案登録第３１２０６１４号公報
【発明の概要】
【発明が解決しようとする課題】
【０００５】
ところで、一枚の弾性金属板を用いて形成したクリップは、部品点数が少なく、コスト的に有利であるが、対向する挟持板の弾性によって重ねた書類等を挟むだけの構造では、挟持力がどうしても弱くなり、挟持した書類等が外れやすいという欠点がある。
【０００６】
また、特許文献２で示されたクリップのように、対向する挟持板に、先端側から後方へ傾斜する弾性片を対向面側に突出するよう切り起しによって形成し、挟持板間に挿入した書類等を弾性片で挟むようにしたものは、実質的に弾性片が有する弾性で挟むだけであり、挟持板及び弾性片の外方への逃げに対して拘束するものがないため、上記と同様、挟持力が弱いという点で問題がある。
【０００７】
そこで、この発明の課題は、上記した問題点を解決するため、書類等を挟んだ状態で挟持板の剛性を高め、外方への逃げを拘束することで弾性片の反発弾性を強め、これにより、書類等の挟持力が大幅に向上したクリップを提供することにある。
【課題を解決するための手段】
【０００８】
上記の課題を解決するため、この発明は、背板の上下端部に同一方向へ向けて折れ曲がる一対の挟持板を連成し、一方挟持板に窓孔を設け、他方挟持板に先端側の位置から背板に向けて上り傾斜で対向板間に突出する弾性片を設けたクリップ本体と、前記クリップ本体の一方挟持板の先端部外面に枢止され、クリップ本体に対して枢止部分を支点に起伏動可能となり、伏倒状態で一方対向板の外面に重なるように形成された操作ばね板とからなり、前記操作ばね板は、先端側の位置から後方に向けて傾斜する状態で前記一方挟持板の窓孔を貫通し、先端が前記一対の挟持板間に臨む弾性片と、後端部の位置に起伏操作用の操作片が設けられ、前記操作片が、操作ばね板の伏倒状態で前記背板へ弾力的に係合してこの操作ばね板の伏倒状態を保持するようにしたものである。
【０００９】
上記クリップ本体の一方挟持板の先端部外面で両側の位置に、この一方挟持板の延長を円筒状に折り曲げた筒状部を設け、上記操作ばね板の先端部で両側の位置に、上面側へ傾斜する突軸を設け、この突軸を前記筒状部間に傾斜を利用して押し込んで筒状部に嵌め込むことにより、クリップ本体に対して操作ばね板を起伏動可能に取付けた構造とすることができる。
【００１０】
上記クリップ本体の一方挟持板に設けた窓孔が、操作ばね板に設けた弾性片が貫通する角孔に形成され、この角孔の後縁に、引き起こした操作ばね板の弾性片が当接することで、操作ばね板の引き起こし角度を規制する突片を設けたものとすることができる。
【００１１】
上記クリップ本体の背板は、外面側が凹入溝となる弧状の断面形状に形成され、上記操作ばね板に設けた操作片は、操作ばね板の後端部から連なって下面側に折れ曲がり、操作ばね板の伏倒状態で前記凹入溝に対して弾力的に外嵌係合する弧状係合部と、この弧状係合部の下端から延びる舌片とで形成されているようにしてもよい。
【００１２】
ここで、上記クリップ本体は、弾性のある金属板を用い、弧状の断面形状となる背板の上縁に上部挟持板（一方挟持板）と下縁に矩形状の下部挟持板（他方挟持板）を対向状に折り曲げ連成し、下部挟持板は上部挟持板よりも前後の寸法が少し長く、背板の垂直線に対して、下部挟持板は直角に折れ曲がり、上部挟持板はその先端側が下部挟持板に向けて接近する緩い傾斜角度を有するように折れ曲がり、下部挟持板と上部挟持板の対向面間隔は先端側で狭くなっている。
【００１３】
上記下部挟持板に設けた弾性片は、この下部挟持板に平面コ字状の切れ目を施し、この切れ目で囲まれた部分を上部挟持板に向けて傾斜状に屈曲させることにより形成し、また、上部挟持板の窓孔は、後縁に突片を残して打ち抜くことにより形成されている。
【００１４】
上記操作ばね板は、弾性のある金属板を用い、上記上部挟持板と平面的に略等しい大きさの矩形状に形成され、その先端が、上記クリップ本体の上部挟持板に設けた両側筒状部間に納まる幅の突板となり、この突板の幅寸法は、操作ばね板の前後方向中心線を挟んで片側が少し短くなるように設定され、その両側に前記筒状部に嵌め込むための突軸が設けられ、クリップ本体に対して操作ばね板を取付ける場合、突板の幅の狭い側に位置する突軸を先に一方筒状部に嵌め込み、この状態で他方の突軸を他方筒状部に向けて押し込んで他方筒状部に嵌め込むことにより、押し込み時の抵抗の発生を少なくして組み立て作業が円滑に行えるようになっている。
【発明の効果】
【００１５】
この発明によると、書類等を上下の弾性片間に差し込んで抜け止め状に挟んだ状態で操作ばね板を一方挟持板に重なるように係止すれば、一方挟持板は操作ばね板と二枚重ねとなって剛性が高まり、外方への逃げが拘束されることで弾性片の反発弾性が強まり、これにより、書類等の挟持力が大幅に向上し、少ない枚数から多い枚数まで強固に挟持することができ、挟持した書類等が抜け出るようなことがなくなる。
【００１６】
また、操作ばね板を一方挟持板に重なるように係止すれば、クリップ本体の背板に対して、前記操作ばね板に設けた操作片が嵌まり込むときに必ず金属音が発生し、書類等の挟持完了が音によって確認できるので、挟持した状態が知れることで、挟持が確実なのかの不安が払拭できると同時に挟持後に目視で確認する手間が省けることになる。
【００１７】
更に、クリップ本体と操作ばね板の組合わせであるので、部品点数を少なくすることができると共に、クリップ本体の一方挟持板の先端部外面で両側の位置に筒状部を設け、前記操作ばね板の先端部で両側の位置に、上面側へ傾斜する突軸を設け、この突軸を前記筒状部間に傾斜を利用して押し込んで筒状部に嵌め込むことにより、クリップ本体に対して操作ばね板を起伏動可能に取付けるようにしたので、クリップ本体と操作ばね板の組み立てが、筒状部間に突軸を押し込むだけで行え、組立作業の簡略化が図れる。
【図面の簡単な説明】
【００１８】
【図１】（ａ）はこの発明に係るクリップの斜視図、（ｂ）はクリップの分解斜視図
【図２】（ａ）はクリップの平面図、（ｂ）は同底面図、（ｃ）はクリップの操作ばね板を起こした状態を示す側面図、（ｄ）はクリップの操作ばね板を倒す途中の状態を示す側面図、（ｅ）はクリップの操作ばね板を伏倒させた状態の側面図
【図３】（ａ）はクリップ本体の平面図、（ｂ）は同正面図、（ｃ）は同底面図、（ｄ）は同左側面図
【図４】（ａ）は操作ばね板の平面図、（ｂ）は同正面図、（ｃ）は同底面図、（ｄ）は同左側面図（ｅ）は操作ばね板に設けた突軸部分を拡大した平面図
【図５】（ａ）はクリップの操作ばね板を倒す途中の状態と挟持せんとする書類等の関係を示す正面図、（ｂ）はクリップに書類等を挿入した状態を示す正面図、（ｃ）はクリップの操作ばね板を伏倒させて書類等を挟持した状態の正面図
【発明を実施するための形態】
【００１９】
以下、この発明の実施の形態を図示例に基づいて説明する。
【００２０】
図１と図２に示すように、この発明のクリップ１は、背板２の上下端部に同一方向へ向けて折れ曲がる一対の挟持板３と４を連成したクリップ本体５と、このクリップ本体５に取付ける操作ばね板６との組み合わせからなり、前記クリップ本体５は、図３のように、弾性（バネ性）のある一枚の金属板を用い、背板２の上縁に矩形状の上部挟持板３と下縁に矩形状の下部挟持板４を対向状に折り曲げ連成して形成されている。
【００２１】
上記背板２は、後部外面側が凹入溝２ａとなる弧状の断面形状に形成され、上記下部挟持板４は上部挟持板３よりも前後の寸法が少し長く、背板２の垂直線に対して、下部挟持板４は直角に折れ曲がり、上部挟持板３はその先端側が下部挟持板４に向けて接近する緩い傾斜角度を有するように折れ曲がり、下部挟持板４と上部挟持板３の対向面間隔は先端側で少し狭くなっている。
【００２２】
上記下部挟持板４に、先端側の位置から背板２に向けて上り傾斜で挟持板３と４の間に突出する弾性片７が設けられ、上部挟持板３には、先端部外面で幅方向の両側位置に、この上部挟持板３の延長突片を外側へ円筒状に折り曲げた筒状部８と、中央位置に窓孔９が形成されている。
【００２３】
上記弾性片７は、下部挟持板４に平面コ字状の切れ目を施し、この切れ目で囲まれた部分を上部挟持板３に向けて傾斜状に屈曲させることにより形成し、また、上部挟持板３の窓孔９は、後縁に突片１０を残して打ち抜くことにより角形に形成されている。
【００２４】
上記操作ばね板６は、図４のように、弾性（バネ性）のある金属板を用い、上記上部挟持板３と平面的に略等しい大きさの矩形状に形成され、その先端が、上記クリップ本体５の上部挟持板３に設けた両側筒状部８間に納まる幅の突板１１となり、この突板１１の幅寸法は、図４（ｅ）に拡大して示すように、操作ばね板６の前後方向中心線ａを挟んで一方側縁までの寸方ｂと、他方側縁までの寸法ｃは、この他方側縁までの寸法ｃが少し短くなるように設定され、その両側に前記筒状部８に嵌め込むための突軸１２と１３が、突板１１の幅方向に沿って外方へ突出すると共に、斜め上向きの傾斜状に設けられている。
【００２５】
上記両側突軸１２と１３の先端は、操作ばね板６の前後方向中心線ａを挟んで左右に等しい寸法位置となり、従って、突板１１の幅寸法の短い他方側縁の側に位置する突軸１２は、もう一方の突軸１３よりも突出寸法が少し長くなっている。
【００２６】
クリップ本体５に対して操作ばね板６を取付ける場合、突板１１の幅の狭い側縁に位置する長い突軸１２を先に一方筒状部８に嵌め込み、この状態で短い突軸１３を他方筒状部８に向けて上から押し込んでこの他方筒状部８内に嵌め込むことにより、両側筒状部８間に対する突軸１２、１３の嵌め込みにおいて、押し込み時の抵抗の発生を少なくして組み立て作業が円滑に行えるようになっている。
【００２７】
この操作ばね板６は、上記突軸１２と１３を筒状部８に嵌め込むことにより、前記クリップ本体５の上部挟持板３の先端部外面に枢止され、クリップ本体５に対して枢止部分を支点に起伏動可能となり、伏倒状態で上部挟持板３の上面に重なるようになる。
【００２８】
上記操作ばね板６の後端側の位置に、起伏操作用の操作片１４が設けられ、前記操作片１４が、操作ばね板６の伏倒状態で前記背板２の外面へ弾力的に係合してこの操作ばね板６の伏倒状態を保持するようになっている。
【００２９】
この操作片１４は、操作ばね板６の後端部から連なって下面側に折れ曲がり、操作ばね板６の伏倒状態で前記凹入溝２ａに対して弾力的に外嵌係合する弧状係合部１４ａと、この弧状係合部１４ａの下端から延びる舌片１４ｂとで形成されている。なお、上記舌片１４ｂには、紐等を通して吊下げるための吊下げ孔１４ｃが設けてある。
【００３０】
上記操作ばね板６に、先端側の位置から後方に向けて傾斜する状態で前記上部挟持板３の窓孔９を貫通し、先端が前記一対の挟持板３と４間に臨む弾性片１５が設けられている。
【００３１】
この弾性片１５は、操作ばね板６に平面コ字状の切れ目を施し、この切れ目で囲まれた部分を上部挟持板３側に向けて傾斜状に屈曲させることにより形成し、クリップ本体５の上部挟持板３の窓孔９を貫通する横幅を有し、上記クリップ本体５の上部挟持板３に設けた窓孔９の後縁に設けた突片１０が、引き起こした操作ばね板６の弾性片１５が当接することで、操作ばね板６の引き起こし角度を規制することになる。
【００３２】
なお、この発明のクリップ１は、クリップ本体５と操作ばね板６の平面的な大きさ及び、上部挟持板３と下部挟持板４の間隔が異なるものを大小複数種類製作し、挟み込まんとする書類等Ａの厚みや大きさに合わせて使い分けることができるようにする。
【００３３】
この発明のクリップ１は、上記のような構成であり、クリップ本体５に操作ばね板６を取付けてクリップ１を組立てるには、図１（ｂ）のように、クリップ本体５の上に操作ばね板６を臨ませ、操作ばね板６の弾性片１５を上部挟持板３の窓孔９に挿入した状態で、長い側の突軸１２を一方の筒状部８に嵌め込み、この状態で他方の突軸１３を他方筒状部８の端部に向けて上から押し込むと、この突軸１３は傾斜しているので自身の弾性によって逃げながら、他方筒状部８に対して嵌まり込むことになり、上から押し込むという簡単な操作でクリップ本体５に操作ばね板６を取付けることができ、図１（ａ）のように組み上がったクリップ１は、クリップ本体５に対して操作ばね板６が、突軸１２、１３を支点に起伏動可能になる。
【００３４】
図２（ｃ）乃至（ｅ）のように、上記クリップ本体５の下部挟持板４に設けた弾性片７と操作ばね板６に設けた弾性片１５は、背板２に向けて逆傾斜の状態となり、操作ばね板６を上部挟持板３に重ねたとき、互いの先端側が圧接するような関係になっている。
【００３５】
上記のようにして組立てたクリップ１で書類等Ａを挟む場合は、図２（ｃ）と図５（ａ）のように、操作ばね板６を起こして操作片１４を背板２の凹入溝２ａに対して離脱させた状態で、書類等Ａの挟みたい部分を上部挟持板３と下部挟持板４の間に先端側から挿入し、図５（ｂ）のように、上下の弾性片７と１５を押し広げるようにして書類等Ａの端縁が背板２に当接するまで差し込む。
【００３６】
この状態で、操作ばね板６に設けた操作片１４の舌片１４ｂを押し下げると、図５（ｃ）のように、操作ばね板６がクリップ本体５の上部挟持板３上に重なり、同時に弧状係合部１４ａが背板２の凹入溝２ａに対して弾力的に外嵌係合し、操作ばね板６が上部挟持板３上に重なる伏倒状態が保持され、書類等Ａを挟持した状態となる。
【００３７】
このように、操作ばね板６を上部挟持板３上に重なる伏倒状態にすると、下部挟持板４と操作ばね板６に設けた弾性片７、１５は、書類等Ａを抜け止め状にして上下から挟むが、その反発弾性が強くなって上下からの挟み込む力が増大し、同時に、上部挟持板３とその上面に重なる操作ばね板６は二重構造となり、上部挟持板３の剛性が強くなることで挟持した書類等Ａに対する逃げが少なく、これにより、大きな挟持力が得られることになる。
【００３８】
上記下部挟持板４と操作ばね板６に設けた弾性片７と１５は、操作ばね板６を上部挟持板３に重ねたとき、互いの先端側が圧接するような関係になっているので、薄い書類等から上下の挟持板間に挿入することができる厚さまでの書類等Ａを挟持することができ、また、操作片１４の弧状係合部１４ａが背板２の凹入溝２ａに対して弾力的に外嵌係合するとき、金属音が発生するので、挟持完了が音によって確認できる。
【００３９】
次に、挟持した書類等Ａをクリップ１から取外す場合は、クリップ本体２に対して操作ばね板６の操作片１４に指をかけ、この操作片１４を背板２の凹入溝２ａから離脱させて操作ばね板６を引き起こすようにすればよく、図５（ｂ）のように、操作ばね板６の弾性片１５が書類等Ａから離反して挟持力が解かれ、クリップ１に対して書類等Ａを簡単に引き抜くことができる。
【００４０】
なお、この発明のクリップ１は、対向する上部挟持板３と下部挟持板４間に対して先端側から書類等Ａを挿入するので方向性が一つとなり、書類等Ａを挟持するときの戸惑いがないだけでなく、書類等Ａを挟持した状態で、操作ばね板が上部挟持板に重なるように係止されるので、書類等Ａの表面及び裏面に対する突出部分の発生を極力少なくすることができ、書類等Ａを挟持した部分が嵩張らないという利点がある。
【００４１】
また、書類等Ａを挟持して操作ばね板６を上部挟持板３に重なるように係止すると、操作片１４の舌片１４ｂは、下部挟持板４の位置に接近するので、吊下げ孔１４ｃを利用して挟持した書類等Ａを吊下げた場合、クリップ１と書類等Ａは真っ直ぐに垂下し、吊下げ状態が見た目に綺麗になると共に、操作ばね板６に設けた操作片１４の舌片１４ｂを大きく形成し、文字を書いたりシールを貼れるようにすれば、クリップ１を表示体として使用することができる。
【符号の説明】
【００４２】
１          クリップ
２          背板
２ａ        凹入溝
３          挟持板
４          挟持板
５          クリップ本体
６          操作ばね板
７          弾性片
８          筒状部
９          窓孔
１０        突片
１１        突板
１２        突軸
１３        突軸
１４        操作片
１４ａ      弧状係合部
１４ｂ      舌片
１４ｃ      吊下げ孔
１５        弾性片
【図１】
2011079139.tif 000003
【図２】
2011079139.tif 000004
【図３】
2011079139.tif 000005
【図４】
2011079139.tif 000006
【図５】
2011079139.tif 000007